(57)【要約】【課題】目視や触診によることなく、簡易に且つバラツキなくボディコンディションスコアー（ＢＣＳ）を判定することを可能にして、犬や猫の栄養状態を、客観的に精度良く診断することのできる犬猫用栄養診断方法を提供する。【解決手段】ＢＣＳを判定して犬又は猫の栄養状態を診断する犬猫用栄養診断方法であって、複数の犬又は猫の体長と、これらの犬又は猫の体脂肪率が２０％時の体重である標準体重との関係を示す相関式を、予め算定しておき、診断対象の犬又は猫の栄養状態を診断する際に、診断対象の犬又は猫の体長及び現体重を測定し、測定した体長から、予め算定した相関式によって診断対象の犬又は猫の標準体重を算定する。算定した標準体重からの乖離割合に応じて決定された、５段階又は９段階のＢＣＳに対応する体重の範囲のいずれかに、測定した診断対象の犬又は猫の現体重が属するかを確認して、診断対象の犬又は猫のＢＣＳを判定する。【選択図】図１
2019080560.tif 000002
【特許請求の範囲】
【請求項１】
ボディコンディションスコアーを判定して犬又は猫の栄養状態を診断する犬猫用栄養診断方法であって、
複数の犬又は猫の体長と、これらの犬又は猫の体脂肪率が２０％時の体重である標準体重との関係を示す相関式を、予め算定しておき、
診断対象の犬又は猫の栄養状態を診断する際に、診断対象の犬又は猫の体長及び体重を測定し、測定した体長から、予め算定した前記相関式によって診断対象の犬又は猫の標準体重を算定し、算定した標準体重からの乖離割合に応じて決定された、５段階又は９段階のボディコンディションスコアーに対応する体重の範囲のいずれかに、測定した診断対象の犬又は猫の体重が属するかを確認して、診断対象の犬又は猫のボディコンディションスコアーを判定する犬猫用栄養診断方法。
【請求項２】
前記相関式が、一次回帰直線の方程式である請求項１記載の犬猫用栄養診断方法。
【請求項３】
前記相関式が、二次回帰曲線の方程式である請求項１記載の犬猫用栄養診断方法。
【請求項４】
犬又は猫の体長は、胸骨突起から坐骨突起までの長さ、肩甲骨の頂部から尾の付け根までの長さ、又は肩甲骨の頂部から腸骨の頂部までの長さとして測定される請求項１〜３のいずれか１項記載の犬猫用栄養診断方法。
【請求項５】
前記５段階のボディコンディションスコアーに対応する体重の範囲は、標準体重の８０％以下の体重の範囲、標準体重の８１〜９０％の体重の範囲、標準体重の９１〜１１０％の体重の範囲、標準体重の１１１〜１２０％の体重の範囲、及び標準体重の１２１％以上の体重の範囲の、５段階の範囲である請求項１〜４のいずれか１項記載の犬猫用栄養診断方法。
【請求項６】
前記標準体重は、重水希釈法によって測定された体脂肪率から推定された標準体重である請求項１〜５のいずれか１項記載の犬猫用栄養診断方法。
【発明の詳細な説明】
【技術分野】
【０００１】
本発明は、犬猫用栄養診断方法に関し、特に、ボディコンディションスコアー（以下「ＢＣＳ」とする。）を判定して犬又は猫の栄養状態を診断する犬猫用栄養診断方法に関する。
【背景技術】
【０００２】
昨今、犬や猫は家族の一員として扱われることが多く、犬や猫についても食料事情が豊かになってきていることから、食生活や飼育環境の変化に伴って、犬や猫の肥満が問題となっている。例えばペットへの愛着心が強い飼い主は、犬や猫が肥満にならないように、これらの栄養状態を適切に管理して、犬や猫の健康の維持増進を図ることを望んでいる場合が多い。また、犬や猫の栄養状態を管理するための装置や器具として、種々の犬用健康管理装置や、ペット用体脂肪測定具が開発されている（例えば、特許文献１、特許文献２参照）。
【０００３】
一方、特別な装置や器具を用いることなく、目視と触診のみによって犬や猫の栄養状態を診断できるようにする方法として、ＢＣＳによる診断方法が採用されている（例えば、特許文献３参照）。ＢＣＳによる診断方法は、アメリカ動物病院協会や日本動物病院協会が犬や猫の栄養状態を診断するための方法として認定したものであり、具体的には、目視による観察によって、犬や猫の腰部や腹部のくびれ具合等から栄養状態を判定すると共に、胸側部を触診することによって、肋骨の触れ具合から犬や猫の栄養状態を判定する、臨床現場で一般的に用いられている診断方法である。
【０００４】
そして、目視と触診による診断結果を合わせて、５段階法または９段階法によって栄養状態を診断するようになっており、例えば５段階法では、ＢＣＳの値が５である場合に「肥満」、４である場合に「過体重」、３である場合に「標準」、２である場合に「体重不足」、１である場合に「痩せ」として、犬や猫の栄養状態を評価するようになっている。
【先行技術文献】
【特許文献】
【０００５】
【特許文献１】特開２００５−７４号公報
【特許文献２】特開２００８−１４９０６１号公報
【特許文献３】特開２００９−７２１５７号公報
【特許文献４】特開２０１６−１０３４０号公報
【発明の概要】
【発明が解決しようとする課題】
【０００６】
ＢＣＳによる栄養状態の診断方法は、アメリカ動物病院協会や日本動物病院協会によって認定されたことで、世界中の動物医療機関の臨床現場で使用されている簡易な方法であるにもかかわらず、目視や触診による診断は、主として主観によるものであるため、ＢＣＳをバラツキなく客観的に判定することが難しい。例えば目視による診断では、被毛の長い犬や猫に対しては診断し難く、触診による診断では、測定者による誤差が大きくなり易い。
【０００７】
これに対して、本件出願の発明者等は、触診による診断を、バラツキなく精度良く行えるようにする犬猫用診断補助具を開発している（例えば、特許文献４参照）。特許文献４の犬猫用診断補助具は、人工的に作った肋骨に、ゴム、発泡ゴムシート、人工被毛等を組み合わせて積層することによって形成され、例えばＢＣＳ１〜５の５段階の触診状態を再現できるようにしたものである。
【０００８】
しかしながら、特許文献４の犬猫用診断補助具は、触診によるＢＣＳの評価には有効であるが、目視による評価までフォローしきれていないのが現状である。このため、目視や触診によることなく、簡易に且つバラツキなくＢＣＳを判定することを可能にして、犬や猫の栄養状態を、客観的に精度良く診断できるようにする新たな技術の開発が望まれている。
【０００９】
本発明は、目視や触診によることなく、簡易に且つバラツキなくＢＣＳを判定することを可能にして、犬や猫の栄養状態を、客観的に精度良く診断することのできる犬猫用栄養診断方法を提供することを目的とする。
【課題を解決するための手段】
【００１０】
本発明は、ＢＣＳを判定して犬又は猫の栄養状態を診断する犬猫用栄養診断方法であって、複数の犬又は猫の体長と、これらの犬又は猫の体脂肪率が２０％時の体重である標準体重との関係を示す相関式を、予め算定しておき、診断対象の犬又は猫の栄養状態を診断する際に、診断対象の犬又は猫の体長及び体重を測定し、測定した体長から、予め算定した前記相関式によって診断対象の犬又は猫の標準体重を算定し、算定した標準体重からの乖離割合に応じて決定された、５段階又は９段階のＢＣＳに対応する体重の範囲のいずれかに、測定した診断対象の犬又は猫の体重が属するかを確認して、診断対象の犬又は猫のＢＣＳを判定する犬猫用栄養診断方法を提供することにより、上記目的を達成したものである。
【００１１】
そして、本発明の犬猫用栄養診断方法は、前記相関式が、一次回帰直線の方程式であることが好ましい。
【００１２】
また、本発明の犬猫用栄養診断方法は、前記相関式が、二次回帰曲線の方程式であることが好ましい。
【００１３】
さらに、本発明の犬猫用栄養診断方法は、犬又は猫の体長が、胸骨突起から坐骨突起までの長さ、肩甲骨の頂部から尾の付け根までの長さ、又は肩甲骨の頂部から腸骨の頂部までの長さとして測定されることが好ましい。
【００１４】
さらにまた、本発明の犬猫用栄養診断方法は、前記５段階のＢＣＳに対応する体重の範囲は、標準体重の８０％以下の体重の範囲、標準体重の８１〜９０％の体重の範囲、標準体重の９１〜１１０％の体重の範囲、標準体重の１１１〜１２０％の体重の範囲、及び標準体重の１２１％以上の体重の範囲の、５段階の範囲であることが好ましい。
【００１５】
また、本発明の犬猫用栄養診断方法は、前記標準体重が、重水希釈法によって測定された体脂肪率から推定された標準体重であることが好ましい。
【発明の効果】
【００１６】
本発明の犬猫用栄養診断方法によれば、目視や触診によることなく、簡易に且つバラツキなくＢＣＳを判定することを可能にして、犬や猫の栄養状態を、客観的に精度良く診断することができる。
【図面の簡単な説明】
【００１７】
【図１】本発明の好ましい一実施形態に係る犬猫用栄養診断方法において測定される犬又は猫の体長の説明図である。
【図２】犬又は猫の体長を胸骨突起から坐骨突起までの長さとした場合の、体長と標準体重との相関関係を、一次回帰直線によって例示する図である。
【図３】本発明の好ましい一実施形態に係る犬猫用栄養診断方法により犬又は猫のＢＣＳを判定する際に用いる、判定表を例示する図である。
【図４】本発明の好ましい一実施形態に係る犬猫用栄養診断方法により犬又は猫のＢＣＳを判定する際に用いる、判定図を例示する図である。
【図５】犬又は猫の体長を胸骨突起から坐骨突起までの長さとした場合の、体長と標準体重との相関関係を、二次回帰曲線によって例示する図である。
【図６】本発明の好ましい一実施形態に係る犬猫用栄養診断方法により犬又は猫のＢＣＳを判定する際に用いる、他の判定表を例示する図である。
【発明を実施するための形態】
【００１８】
本発明の好ましい一実施形態に係る犬猫用栄養診断方法は、犬や猫の栄養状態を診断するための方法として、アメリカ動物病院協会や日本動物病院協会によって認定されているＢＣＳによる診断方法において、ＢＣＳを簡易な手法によってバラツキなく容易に判定できるようにして、犬や猫の栄養状態を客観的に精度良く診断することを可能にする方法として採用されたものである。
【００１９】
すなわち、本実施形態に係る犬猫用栄養診断方法は、従来の、ＢＣＳによる犬や猫の栄養状態の診断方法によれば、ＢＣＳは、目視や触診によって判定されていたため、主観によるものとなって客観的に判定するには相当の慣れや熟練を要することになり、例えば獣医師や専門家でなければ、信頼性のある診断結果を得ることができないといった技術的課題があったことを鑑みてなされたものである。本実施形態に係る犬猫用栄養診断方法によれば、診断対象となる犬又は猫の体長及び現体重を測定するだけの簡易な方法によって、獣医師や専門家ではない例えばペットの飼い主等でも、ばらつきの少ないＢＣＳの客観的な判定結果が容易に得られるようにして、犬や猫の栄養状態を適正に管理することを可能にする。
【００２０】
ここで、ＢＣＳによる犬や猫の栄養状態の診断方法は、米国動物病院協会や日本動物病院協会によって認定された、臨床現場で一般的に用いられている公知の診断方法であり、ＢＣＳを判定することで、５段階法や９段階法によって、犬や猫の栄養状態を診断するようになっている。具体的には、例えば５段階法による診断では、判定されたＢＣＳの値が５である場合は「肥満」、ＢＣＳの値が４である場合は「過体重」、ＢＣＳの値が３である場合は「標準」、ＢＣＳの値が２である場合は「体重不足」、ＢＣＳの値が１である場合は「痩せ」といった評価基準に従って、犬や猫の栄養状態を判定できるようになっている。
【００２１】
また、本件出願の発明者は、ＢＣＳを判定して犬又は猫の栄養状態を診断する際の信頼性を高めることについて、種々の検討を行った結果、例えば犬や猫の肩甲骨の頂部から尾の付け根までの長さＬ２（図１参照）を、犬や猫の体長とした場合に、犬や猫の体長と、犬や猫の体脂肪率が２０％時の体重である標準体重との間には、強い相関性があることを見出した。犬や猫の体脂肪率が２０％時の体重である標準体重は、例えば公知の重水希釈法によって測定された体脂肪率から、容易に計算して推定することができ、推定された標準体重からの乖離割合（表１参照）によって、ＢＣＳの値毎の体重を、各々計算することができる。本発明の犬猫用栄養診断方法は、これらの知見に基づいてなされたものであり、診断対象の犬又は猫の体長及び現体重を測定するだけの、簡易な方法によって、獣医師や専門家のみならず、ペットの飼い主等でも、客観的でバラツキの少ない精度の良いＢＣＳの判定結果を、容易に得ることができるようにするものである。
【００２２】
そして、本実施形態の犬猫用栄養診断方法は、ＢＣＳを判定して犬又は猫の栄養状態を診断する診断方法であって、複数の犬又は猫の体長（図１参照）と、これらの犬又は猫の体脂肪率が２０％時の体重である標準体重との関係を示す相関式（図２、図５参照）を、予め算定しておき、診断対象の犬又は猫の栄養状態を診断する際に、診断対象の犬又は猫の体長及び現体重を測定し、測定した体長から、予め算定した相関式によって診断対象の犬又は猫の標準体重を算定する。算定した標準体重からの乖離割合に応じて決定された、５段階又は９段階のＢＣＳに対応する体重の範囲（図３、図４、図６参照）のいずれかに、測定した診断対象の犬又は猫の現体重が属するかを確認して、診断対象の犬又は猫のＢＣＳを判定する。
【００２３】
また、本実施形態では、犬又は猫の体長は、図１に示すように、好ましくは、胸骨突起から坐骨突起までの長さＬ１、肩甲骨の頂部から尾の付け根までの長さＬ２、又は肩甲骨の頂部から腸骨の頂部までの長さＬ３として測定することができる。
【００２４】
本実施形態の犬猫用栄養診断方法では、診断対象の犬又は猫のＢＣＳを判定するのに先立って、図２に示すように、複数の犬又は猫の体長と、これらの犬又は猫の体脂肪率が２０％時の体重である標準体重とを変量とする相関式として、例えば一次回帰直線の方程式を、予め算定しておく。本実施形態では、例えばランダムに選定した３９頭の各々の犬について、犬の体長として、胸骨突起から坐骨突起までの長さＬ１を測定すると共に、好ましくは重水希釈法によって体脂肪率を測定し、測定した体脂肪率から、体脂肪率が２０％時の体重である標準体重を計算して推定する。また、得られた各々の犬の体長及び標準体重を、縦軸を体重、横軸を体長とするチャートにプロットすると共に、体長と標準体重との相関性の強弱を示す相関係数と、相関式（一次回帰直線の方程式）とを求める。本実施形態では、相関係数は、ｒ＝０．８６３となって、体長0と標準体重との間に強い相関性が認められると共に、相関式として、ｙ＝０．４２０５ｘ−９．９３といった一次回帰直線の方程式が得られた。
【００２５】
また、本実施形態では、犬又は猫の体長を、肩甲骨の頂部から尾の付け根までの長さＬ２としたり、肩甲骨の頂部から腸骨の頂部までの長さＬ３として、複数の犬の体長と標準体重とを変数とする相関式を、予め算定しておくこともできる。犬の体長をＬ２とした場合には、標準体重との相関係数は、ｒ＝０．８３６となり、犬の体長をＬ３とした場合には、標準体重との相関係数は、ｒ＝０．７６７となって、いずれの場合においても、体長と標準体重との間に強い相関性が認められた。犬又は猫の体長として、上述のいずれの部位の長さを測定しても、体長と標準体重との相関係数は高く、強い相関関係が認められたが、相関係数の強さは、Ｌ１＞Ｌ２＞Ｌ３となった。したがって、体長の測定部位としては、胸骨突起から坐骨突起までの長さＬ１とすることが好ましい。
【００２６】
本実施形態では、上述のように、標準体重からの乖離割合によって、ＢＣＳの値毎の体重を各々計算できることから、図３に示すように、測定される犬の体長である、例えば胸骨突起から坐骨突起までの長さＬ１と、測定される犬の現体重とから、診断対象の犬のＢＣＳを容易に判定できるようにするための対比表を、予め作成しておくことができる。すなわち、例えば５段階法によって犬や猫の栄養状態を診断するには、各ＢＣＳに対応する体重の範囲は、表１に示すように、ＢＣＳ１の「痩せ」の場合、標準体重の８０％以下の乖離割合の体重の範囲とすることができ、ＢＣＳ２の「体重不足」の場合、標準体重の８１〜９０％の乖離割合の体重の範囲とすることができ、ＢＣＳ３の「標準」の場合、標準体重の９１〜１１０％の乖離割合の体重の範囲とすることができ、ＢＣＳ４の「過体重」の場合、標準体重の１１１〜１２０％の乖離割合の体重の範囲とすることができ、ＢＣＳ５の「肥満」の場合、標準体重の１２１％以上の乖離割合の体重の範囲とすることができる。
【００２７】
【表１】
2019080560.tif 000003
【００２８】
また犬の体長である、胸骨突起から坐骨突起までの長さＬ１に対する標準体重は、体長と標準体重とを変量とする相関式から容易に算定できることから、例えば犬の体長が２５〜６０ｃｍの範囲における、１ｃｍ毎の体長に対応する標準体重を各々算定すると共に、算定された１ｃｍ毎の体長に対応する各々の標準体重からの乖離割合によって、１ｃｍ毎の体長に対応する各々のＢＣＳの値における体重の上限値及び下限値を計算することで、図３に示す診断対象の犬のＢＣＳを判定するための判定表を、予め作成しておくことができる。
【００２９】
また、本実施形態では、図４に示すように、測定される犬の体長である、例えば胸骨突起から坐骨突起までの長さＬ１と、測定される犬の体重とから、診断対象の犬のＢＣＳを容易に判定できるようにするための対比図を、予め作成しておくこともできる。すなわち、上述のように、犬の体長と標準体重との間には、強い相関性が認められることから、縦軸を体重、横軸を体長とするチャートに、体長と標準体重とを変数とする関係線（点線参照）を、直線状に描くことができる。またＢＣＳの値毎の体重は、標準体重からの乖離割合によって計算できることから、各々のＢＣＳ値における体重の上限値及び下限値を示す線もまた、境界線として直線状に描くことができる。これらによって、図４に示す診断対象の犬のＢＣＳを判定するための判定図を、予め作成しておくことができる。
【００３０】
そして、本実施形態では、診断対象の犬の栄養状態を診断する際に、診断対象の犬の体長及び現体重を測定し、測定した体長及び現体重から、ＢＣＳを判定する。すなわち、本実施形態では、測定した犬の体長から、予め算定した上述の体長と標準体重とを変量とする一次回帰直線の方程式である相関式に基づいて、診断対象の犬の標準体重を算定する。また、算定された標準体重から、当該標準体重からの乖離割合に応じて、例えば５段階のＢＣＳの値に対応する体重の範囲もまた、容易に算定できることから、算定された体重の範囲のいずれかに、測定した診断対象の犬の現体重が属するかを確認することによって、診断対象の犬のＢＣＳを、容易に判定することが可能になる。
【００３１】
これらによって、本実施形態の犬猫用栄養診断方法によれば、目視や触診によることなく、診断対象の犬の体長及び現体重を測定するだけの簡易な方法によって、バラツキなく客観的にＢＣＳを判定することが可能になると共に、判定されたＢＣＳから、犬や猫の栄養状態を、精度良く容易に診断することが可能になる。
【００３２】
また、本実施形態では、上述のように、診断対象の犬や猫のＢＣＳを判定するための、図３に示す判定表や、図４に示す判定図を、予め作成しておくことで、測定された診断対象の犬や猫の体長から、その都度、標準体重を算定したり、各ＢＣＳに対応する体重の範囲を算定したりする手間を要することなく、好ましくは測定された犬又は猫の体長に対応する、判定表や判定図における各ＢＣＳの体重の範囲に、測定された現体重を照し合わせることによって、一見しただけで、犬や猫のＢＣＳを容易に判定することが可能になる。
【００３３】
本実施形態の犬猫用栄養診断方法では、診断対象の犬又は猫のＢＣＳを判定するのに先立って、図５に示すように、複数の犬又は猫の体長と、これらの犬又は猫の体脂肪率が２０％時の体重である標準体重とを変量とする相関式として、好ましくは二次回帰曲線の方程式を、予め算定しておくこともできる。二次回帰曲線の方程式を予め算定しておくことにより、例えばランダムに選定した犬の中に、体長（胸骨突起から坐骨突起までの長さ）が６０ｃｍ以上の大型犬が含まれている場合など（図５参照）、選定した犬又は猫の体長のバラツキが大きい場合でも、精度の良い相関式を得ることが可能になる。
【００３４】
図５に示す二次回帰曲線の方程式による相関式では、例えばランダムに選定した４２頭の各々の犬について、犬の体長として、胸骨突起から坐骨突起までの長さＬ１を測定すると共に、好ましくは重水希釈法によって体脂肪率を測定し、測定した体脂肪率から、体脂肪率が２０％時の体重である標準体重を計算して推定する。選定した４２頭の犬には、体長が６０ｃｍ以上の犬が含まれている。また、得られた各々の犬の体長及び標準体重を、縦軸を体重、横軸を体長とするチャートにプロットすると共に、体長と標準体重との相関性の強弱を示す相関係数と、相関式（二次回帰曲線の方程式）とを求める。体長と標準体重との相関性の強弱を示す相関係数と、相関式とは、例えば、SPSS statistics 24.0（ＩＢＭ社製）を使用したピアソン相関係数テスト（Pearson’s correlation coefficient test）によって求めることができる。図５に示す例では、相関係数は、ｒ＝０．９４５となって、体長と標準体重との間に強い相関性が認められると共に、相関式として、ｙ＝０．００９ｘ２−０．３５９ｘ＋５．１６２といった二次回帰曲線の方程式が得られた。有意確率は、Ｐ＜０．０１であった。
【００３５】
また、二次回帰曲線の方程式による相関式は、犬又は猫の体長を、肩甲骨の頂部から尾の付け根までの長さＬ２としたり、肩甲骨の頂部から腸骨の頂部までの長さＬ３として、予め算定しておくこともできる。本実施形態では、犬の体長をＬ２とした場合には、標準体重との相関係数は、ｒ＝０．９３２となり、犬の体長をＬ３とした場合には、標準体重との相関係数は、ｒ＝０．９１０となって、いずれの場合においても、体長と標準体重との間に強い相関性が認められた。有意確率は、いずれの場合においても、Ｐ＜０．０１であった。二次回帰曲線の方程式による相関式を算定する際の、体長の測定部位としては、一次回帰直線の場合と同様に、胸骨突起から坐骨突起までの長さＬ１とすることが好ましい。
【００３６】
本実施形態では、二次回帰曲線の方程式による相関式に基づいて、図６に示すように、一次回帰直線の場合と同様に、測定される犬の体長である、例えば胸骨突起から坐骨突起までの長さＬ１と、測定される犬の現体重とから、診断対象の犬のＢＣＳを容易に判定できるようにするための対比表を、予め作成しておくことができる。例えば５段階法によって犬や猫の栄養状態を診断するには、各ＢＣＳに対応する体重の範囲を、表１に示すような範囲とすることができる。
【００３７】
図６に示す診断対象の犬のＢＣＳを判定するための判定表は、例えば犬の体長が２５〜６０ｃｍの範囲における、１ｃｍ毎の体長に対応する標準体重を各々算定すると共に、算定された１ｃｍ毎の体長に対応する各々の標準体重からの乖離割合によって、１ｃｍ毎の体長に対応する各々のＢＣＳの値における体重の上限値及び下限値を計算することで、予め作成しておくことができる。
【００３８】
また、一次回帰直線の場合と同様に、二次回帰曲線の方程式による相関式に基づいて、犬又は猫の体長である例えば胸骨突起から坐骨突起までの長さＬ１と、測定される犬又は猫の体重とから、診断対象の犬又は猫のＢＣＳを容易に判定できるようにするための対比図を、予め作成しておくこともできる。
【００３９】
相関式として二次回帰曲線の方程式を算定した場合も、一次回帰直線の場合と同様に、目視や触診によることなく、診断対象の犬の体長及び現体重を測定するだけの簡易な方法によって、バラツキなく客観的にＢＣＳを判定することが可能になると共に、判定されたＢＣＳから、犬や猫の栄養状態を、精度良く容易に診断することが可能になる。
【００４０】
なお、本発明は上記実施形態に限定されることなく種々の変更が可能である。例えば、本発明の犬猫用栄養診断方法は、５段階法のＢＣＳによる診断方法においてのみならず、９段階法のＢＣＳによる診断方法においても採用することができる。すなわち、９段階法の各ＢＣＳの値に対応させて、９段階のＢＣＳの各々の体重の範囲を算定したり、算定された９段階の体重の範囲のいずれかに、測定した診断対象の犬の現体重が属するかを確認したりすることによって、９段階のＢＣＳを判定することもできる。また、本発明の犬猫用栄養診断方法による診断対象は、猫であっても良い。さらに、本発明の犬猫用栄養診断方法は、上述の判定表や判定図を予め作成して用いる必要は必ずしも無く、その都度、標準体重を算定したり、各々のＢＣＳに対応する体重の範囲を算定したりして、実施することもできる。さらにまた、例えばパーソナルコンピュータに組み込まれたプログラムや判定表や判定図によって、測定された診断対象の犬又は猫の体長や現体重から、ＢＣＳを判定できるようにすることも可能である。また、例えば判定表や判定図が組み込まれたパーソナルコンピュータに電子カルテを接続して、電子カルテの上でＢＣＳを判定できるようにすることも可能である。
【符号の説明】
【００４１】
Ｌ１  胸骨突起から坐骨突起までの長さ（体長：Ｌ１）
Ｌ２  肩甲骨の頂部から尾の付け根までの長さ（体長：Ｌ２）
Ｌ３  肩甲骨の頂部から腸骨の頂部までの長さ（体長：Ｌ３）
【図１】
2019080560.tif 000004
【図２】
2019080560.tif 000005
【図３】
2019080560.tif 000006
【図４】
2019080560.tif 000007
【図５】
2019080560.tif 000008
【図６】
2019080560.tif 000009